(57)【特許請求の範囲】
【請求項１】
インク吸収体が収納されるとともに大気連通部及びインク供給部を有した第１収納室と、連通部のみを介して前記第１収納室に連通し且つ実質的に密閉状態で前記第１収納室に供給されるインクを直接収納するための空間を形成する第２収納室とを具えたインク容器に対して、前記第２収納室からインクを再充填するインク再充填方法であって、
前記実質的に密閉状態の前記第２収納室に対して外部からインクを供給するためのインク再充填口を開口させる工程と、
前記インク再充填口から再充填用のインクを備えたインク再充填器によってインクを再充填する工程と、
前記インクを再充填する工程後に前記インク再充填口を封止部材で封止して、前記第２収納室を実質上前記密閉状態にする工程と、
を有することを特徴とするインク再充填方法。
【請求項２】
前記インク再充填口を開口させる工程は、あらかじめ存在している前記インク再充填口に対して取り付けられている取外し可能な封止部材を取り外す工程であることを特徴とする請求項１に記載のインク再充填方法。
【請求項３】
前記封止部材は、取り替え可能であることを特徴とする請求項１または請求項２に記載のインク再充填方法。
【請求項４】
前記封止部材は、金属、プラスチック、弾性を有するゴムのいずれかであることを特徴とする請求項１乃至請求項３のいずれかに記載のインク再充填方法。
【発明の詳細な説明】
【０００１】
【発明の属する技術分野】
本発明は、インク容器に対してインクを再充填するために用いられるインク再充填方法に関する。
【０００２】
【従来の技術】
従来、インクジェット用のインクカートリッジは、インクジェットヘッドと一体化され、カートリッジ内のインクがインク吐出できない段階になると、ヘッドと共に廃棄されることが多い。この状態のカートリッジ内に残存するインクの量は、改良を加えても、カートリッジ内のほぼ全体に収納されている負圧発生体であるスポンジのインク保持能力に支配され、比較的多いものとなってしまっていた。
【０００３】
この種のインク容器としては、特開昭６３−６３２４２号公報を挙げることができる。即ち、インク容器内に発泡材が配置され、複数のインク射出オリフィスを備えたインクジェット記録ヘッド１体のカートリッジである。このインク容器においては、発泡材であるポリウレタンフォームのような多孔質媒体にインクを貯蔵するためにフォームの毛細管力による負圧の発生及びインクの保持（インク容器からのインク漏れ防止）を達成しているが、唯一のインク貯蔵室のほぼ全体に装填されるフォームを必要とすることからインクの充填量が制限されるとともにに装填され、ほぼ全体にフォームを必要とすることからインクの充填量が制限されるとともにフォーム中に使用されずに残るインク量が多くなり、インクの使用効率が悪いという問題があった。
【０００４】
この問題に対して、インクカートリッジを実質的にインクのみを保持する構成を採用したカートリッジを開示する公報がある。即ち、特開平２−５２２号公報には、上方に位置してインクのみを大量に保持する１次インク貯蔵部と下方に位置したインクジェット記録ヘッドとの間にわずかな多孔質部材を配置したインクジェット記録ヘッド一体型のインクカートリッジが開示されている。この発明は、多孔質部材をインク貯蔵部には内蔵せずにインク流路中にのみ配置したことによりインクの使用効率を向上出来るとしている。また、多孔質部材の側方にインクを保持可能な空間としての２次インク貯蔵部を設けることにより、温度上昇（圧力低下）で１次インク貯蔵部内の空気が膨張してによる１次インク貯蔵部からの流出インクを溜め、記録時の記録ヘッドへの負圧を実質上一定に維持出来るとしている。
【０００５】
しかしながら、この公報の発明は、非記録時においては、上方に位置してインクのみを大量に保持する１次インク貯蔵部からのインクにより多孔質部材はインクが充分過ぎるほど含浸せしめられているので、多孔質部材自体の負圧の発生がほとんど無くなっている。そのため、わずかな衝撃によりインクジェット記録ヘッドのオリフィスからインクが漏れるという問題があり、実用に適さない。またインク容器をインク記録ヘッドに装着する交換型インクカートリッジ形式をこの構成に採用することは、多孔質部材の状態からインク漏れの状態となり実用化できないという課題があった。
【０００６】
これに対して、インクを袋内に封入してその袋の負圧力を一定にするためのバネ構成を付加したインクカートリッジも知られているが、高価なものとなるだけでなく、そのバネ構成の性能を維持して大量生産を達成することは困難なものであった。
【０００７】
いづれにしても、インクジェット用（非接触記録プリント型）インクカートリッジとして、インクジェットプリントの分野では、安価で、合理的な技術水準にあるものは提供されていない。
【０００８】
【発明が解決しようとする課題】
本発明者たちは、インクジェットプリントの技術分野に適したインク容器としては、記録時においては、記録ヘッドから吐出されるインク量に見合ったインクを良好に供給することができ、非記録時においては吐出口からのインク漏れなどの不都合がないことの両面性をそれぞれ検討した。その結果、基本構成として、負圧発生部材を収容すると共に大気との連通を得るための大気連通部を備えた第１収納室と該第１収納室に対して連通するが実質的に密閉状態で第１収納室へ供給するためのインクを直接収納するための第２収納室を持つ構成がインクジェットの特性にとって重要な前提であることに至った。
【０００９】
その一方で、本発明者達は、本発明の技術分野とは異なる接触記録技術を検討することによって、インクジェットプリント分野の技術的な特異性について再検討することにした。一般に、記録媒体に接触して記録を行う記録計器用ペンは、インク吸収性もあり保持性もある記録芯に対してインク供給を行なうものであるから、記録芯自体が大気にさらされていることを前提とし、記録芯に直接接触する領域にはインクで過飽和状態となっているインク含侵体を必須とする。つまり接触記録技術は、インクジェット分野の技術内容とは根本的に異なる。
【００１０】
調査したところ、特開昭５７−１６３８５号公報を見出した。この公報は、記録媒体に接触して記録を行う記録芯（多孔質型インク吸収性芯）を用いることを前提とする記録計器用ペンを開示するが、課題としているものは、記録芯自体からのインクあふれのみであった。
【００１１】
この公報は、下方の記録芯に接触する第１吸液材と上方の大気連通口側にインクをわずかに吸収しているが第１吸液材に比べてインクを含みにくい第２吸液材とを備え、記録芯を下方に突出させた中央室と、この室の両側にインクを供給する密閉型インク収容室とを必須の構成とする発明である。この構成によれば、周囲温度の上昇によって密閉型インク収容室内の空気が膨張して密閉型インク収容室内のインクが第１吸液材に至り、第１吸液材が保持しきれなくなったインクを第２吸液材が吸収することにより、記録芯からインクがあふれて落下することを防止できるとしている。さらに、この公報は、２つの密閉型インク収容室の一方が空気だけになった際に、その空気の膨張を大気連通口側に逃がすための一定幅の溝を、中央室と密閉型インク収容室との仕切り壁とは異なる側面の最下端から最上端までにわたって設けることも開示している。
【００１２】
本発明者達は、技術的には類似点の少ない非接触記録のインクジェットヘッドに、このタンク構成のみを適用することに着眼したところ、環境条件の変化に伴って、大気連通口からのインクあふれという新たな現象が確認された。しかも記録芯に直接接触する領域にはインクで過飽和状態となっているインク含侵体である第１吸液材は、負圧を発生することを必要としないためにインクジェット技術にとっての共通性が見られないことも確認できた。この新規な現象は、記録計器用ペンの分野では認識されてはいず、負圧を安定したものにするための技術的示唆もこの分野からは得るものがなかった。
【００１３】
また、上記公報の一定幅の溝は、空気と共にインクを排出促進する機能もあるため、大気連通口からのインクあふれを一層促進してしまうことも確認できた。更に、両側のインク収容室からのインク消費は、同等ではなく、先に一方のインク収容室のインクが無くなると、他方に大量のインクが残存しているにもかかわらず、インクジェット記録ができなくなってしまった。これは、インク収容室のインクが無駄になり、根本的にインクジェット技術の目的に反する結果であった。この原因は、第１吸液材内に空気が大量に入り込み、結果的にインクの供給が出来なくなったためであった。
【００１４】
このような背景問題を解決した画期的なインクジェット用カートリッジを本発明出願人は先に出願している。これは、負圧発生部材を収容すると共に大気との連通を得るための大気連通部を備えた第１収納室と該第１収納室に対して連通するが実質的に密閉状態で第１収納室へ供給するためのインクを直接収納するための第２収納室を持つ前提構成のカートリッジに、インクジェット用として有効に機能できる構成を与える発明である。この構成によれば、インクカートリッジの使用初期から使用終了までの間の大半を負圧が実質上ほぼ一定にできるタンク構造体であるために、高速記録にも対応可能な交換型インクカートリッジおよびインクジェットヘッドとプリンタをも提供できるものである。
【００１５】
他方、一般的に、インクカートリッジは、ランニングコストを低減させるためや省資源の観点から使用済み後にインクを再注入することが要望されている。
【００１６】
本発明者らは、上述した先に発明したインクジェット用カートリッジにおいて上記インクの再注入を検討した結果、本インクジェット用カートリッジ固有の技術による好ましいインク注入の形態を見いだすに至った。
【００１７】
この発明は、従来の技術的観点からは予想できなかったものであり、これを解析することで上記インクカートリッジの機能を維持しつつ、使用済み後のインクカートリッジにインクを再注入することが可能となる条件を提供できるものとして、本発明者たちによって初めて認識されたものである。
【００１８】
本発明の主たる目的は、上記背景技術に鑑み上記インクジェット用インクカートリッジとして新規な上記第１収納室と第２収納室をもつカートリッジ構成の特性を一層安定したものにできる再充填するための方法を提供することにある。
【００２０】
本発明のさらなる他の目的は、インクの再充填後もインクカートリッジのインク室内のインクが負圧発生部材に供給されている段階で形成される負圧発生部材中の気体である外気とインクとの気液界面の滑らかで安定した界面を一層安定化でき、好ましくは、その間の負圧が実質上ほぼ一定にできるインクの再充填方法を提供することにある。
【００２１】
ここで、本発明インクジェット用カートリッジに適用されている負圧発生部材のように、インク過飽和状態ではない負圧発生部材を用いることを前提とするインクジェット用カートリッジは知られているが、これに実質的に密閉状態のインク収容室を隣接させた構成は知られていない。そのため、まず、本発明充填用インクが適用されるカートリッジ構成について、その特徴の一部を以下に説明しておく。
【００２２】
【課題を解決するための手段及び作用】
本発明のインク再充填方法は、インク吸収体が収納されるとともに大気連通部及びインク供給部を有した第１収納室と、連通部のみを介して前記第１収納室に連通し且つ実質的に密閉状態で前記第１収納室に供給されるインクを直接収納するための空間を形成する第２収納室とを具えたインク容器に対して、前記第２収納室からインクを再充填するインク再充填方法であって、
前記実質的に密閉状態の前記第２収納室に対して外部からインクを供給するためのインク再充填口を開口させる工程と、
前記インク再充填口から再充填用のインクを備えたインク再充填器によってインクを再充填する工程と、
前記インクを再充填する工程後に前記インク再充填口を封止部材で封止して、前記第２収納室を実質上前記密閉状態にする工程と、
を有することを特徴とする。
【００２４】
保存状態や使用状態に関わらず、従来の技術水準を一掃する技術観点として、上記前提構成に対して、負圧発生部材の該大気連通部近傍領域をインクを保持していない領域とすることで、環境条件の変動に対して、インクカートリッジ内のインクが大気連通部から漏れることを防止できる利点がある。特に、シール部材が大気連通部を密閉している場合に対しては、シール部材のはがれ防止効果もある。また、使用状態にあっては、この領域は、大気がカートリッジ内に必要に応じた量が効率よく供給でき、インクジェットカートリッジ内の負圧変化を抑制する効果もある。この大気連通部近傍領域は、全くインクによる濡れがないものであると、インク自体の浸透速度をより減速させることができるので好ましいが、インクにより予め濡らした後にそのインクを除去した領域としても良い。
【００２５】
また、本発明は、上記前提構成に対して、上記微小連通部を形成する仕切り壁に対向する側に、インク供給用開口、或は、供給管による負圧発生体の圧縮（又は圧縮可能）領域を存在させる構成とすることで、第２収納室のインクが負圧発生体内に安定した実質的なインク供給路を確保でき、これをより安定させる構成として、インクカートリッジの下面に関して上記インク供給用開口が上記微小連通部よりも上方に位置させることを挙げることができる。尚、本発明で云う「供給管」は、インクジェット特有の挿入管はもとより、カートリッジに付設され負圧発生体を圧縮変形せしめている弁構造や連結部材をも含むものである。この配置関係の作用は、実質的なインク移動方向を一定化でき、第２収納室のインクがすべて消費でき、この消費後も、第２収納室内の空気が減圧下にあることを解消する方向に大気が仕切り壁側から、対向する開口側に移動するように介在することで、結果的に、負圧発生体内のインクを消費可能にして、残存インクを減少できることにある。
【００２６】
特に、上記前提構成に対して、上記微小連通部を形成する仕切り壁からこの壁に対向する側に向かって、負圧発生体の供給管によって圧縮されない領域、負圧発生体の供給管によって圧縮される領域を、この順に有することで、圧縮されない領域には前述した１方向のインク供給路が形成でき同様の効果が得られ、更に圧縮領域のインク確保能力によって一層インク残量を減少できる。
【００２７】
従って、本発明のより好ましい前提構成発明は、上記列挙の３構成を満足するものとすることができるが、無論上記構成の単独もしくは任意の２構成の複合は当然優れた効果が得られることが理解できよう。
【００２８】
一方、本発明前提構成のインクジェットカートリッジは、操作者の手指に触れることになるが、通常は不都合は発生しにくいが、強力に圧力を加えたりするとインクのみを収納する収納室は大きさにもよるが変形しやすい。従って、この外圧による課題を解決する構成として、微小連通部を構成する仕切り壁よりも間隙を大きく開ける仕切り板をインクのみの収容室に設けることは好ましいものである。又、変形の観点から、これらのカートリッジを樹脂で形成した場合には、インクのみの収容室の壁の厚さを０．８ｍｍ以上、負圧発生部材としてのスポンジ等を収納する収納室の壁の厚さを１．３ｍｍ以上とすることが好ましい。更には、壁の厚さは壁の厚さの１．２倍以上３倍以下の範囲内にあることがより好ましいものと判明した。
【００２９】
本発明前提構成のインクジェットプリンタとして、上記本発明のカートリッジを装着したことに応じて、自動的或は指導的にカートリッジ内からのインク排出をヘッドを介して吸引手段による吸引或は吐出によって実行することは、負圧発生体内のインク状態をプリント前に修正出来るので、カートリッジの放置状態に左右されずに、カートリッジ本来の上記機能を利用することができる。
【００３０】
尚、上記前提構成における微小連通部の仕切り壁までの高さは、負圧発生部材の平均孔径（好ましくは微小連通部近傍の平均孔径）より大きく（実用上は０．１ｍｍ以上）、５ｍｍ以下が適している。より安定化を期待するのであれば、３ｍｍ以下が好ましい。又、負圧発生部材の収納室の容積とインクのみの収容室の容積の比は、１：１以上１：３以下の範囲内が実用上の最適範囲として挙げることができる。
【００３１】
次に、上記前提構成要件において見られたインク漏れの現象は、上記カートリッジに初期充填する際や再充填を行う際において見られ、その原因は、インク収納室内においては問題のないインクが、負圧発生部材を収納する収納室内に至ると、負圧発生部材内部に一時的に保持されるものよりも、負圧発生部材とカートリッジ内壁との間を進行して大気連通口やインク供給口等の開口部或は、シールされている領域を破って漏れる傾向が大となることであった。そのため本発明は前提構成用のインク条件を検討したところ、インク表面張力が５５ｄｙｎ／ｃｍ（２５℃）を越えると、その傾向は顕著であるが、５５ｄｙｎ／ｃｍ以下であると、臨界的にこの問題が見られなくなり、特に５０ｄｙｎ／ｃｍ以下であると、環境にも左右されずに、極めて安定した特性を示したのである。
【００３２】
一方、その５５ｄｙｎ／ｃｍ以下であると、確実に負圧発生部材中に安定した進行性を示し、負圧発生部材中に気体である空気と液体であるインクとの気液界面が形成される構成の場合に特にその界面を長期にわたって安定したものにできる効果が認められた。これは、上記微小連通部から上記第１収納室内の上記負圧発生部材対向位置まで延在する気液交換促進構造を有するカートリッジにおいては、その構成と相乗的に機能して、直線的な界面を安定した状態で形成できるので、好ましいのものであった。
【００３３】
逆に、前提構成用のインク表面張力が２０ｄｙｎ／ｃｍ（２５℃）を下回ると、通常使用では、インク漏れが生じないものの、衝撃が加わるような場合においては、インク漏れ現象が見られ、２０ｄｙｎ／ｃｍ以上であると、このような衝撃があっても、前提構成の利点とインク特性との相乗効果によってインク漏れが防止されることが判明した。又、特に、２５ｄｙｎ／ｃｍ以上５０ｄｙｎ／ｃｍ以下では、上述した効果、即ち、環境にも左右されずに、極めて安定した特性を示した。
【００３４】
本発明の他の発明における効果や特徴は以下の実施例から理解できよう。
【００３５】
【発明の実施の形態】
以下本発明の実施の形態を実施例により説明する。
【００３６】
【実施例】
本発明の実施例を図面に基づいて説明する。
【００３７】
図１乃至図６は、本発明に使用するインクカートリッジの前提構成に加えて、微小連通部８をカートリッジの底面とで形成する仕切り壁５に対向する負圧発生部材収容部の面にインク供給用の開口部を設けた構成の実施例である。
【００３８】
図１はインクカートリッジの一部を破断して示した模式斜視図であり、図２は図１の模式断面図である。
【００３９】
図１及び図２に示すように、本発明に使用するインクカートリッジ本体１はインクジェット記録ヘッドと連結するための開口部２を微小連通部としての間隙部８側に変位させた位置に有し、負圧発生部材３を収容した負圧発生部材収容部４と該負圧発生部材収容部に仕切り壁５を介して隣接し、インクカートリッジ底部１１で連通したインクのみを収容するインク収容部６とからなる。
【００４０】
この構成により、大気は上記開口部２から供給されることになるが、重要なことは、大気連通部の構成よりも、インク収容部６内のインクが連通部８を介してのみ、インクカートリッジ底部１１に沿って開口部２側へ確実に供給されることである。このインク供給に伴って大気は、インク収容部６内のインクと入れ替わり補充されていく。
【００４１】
ここで、負圧発生部材収容部４の開口部近傍の供給管によって圧縮変形可能な領域にある負圧発生部材を、供給管によって圧縮変形せしめた状態について説明する。図３は、本発明に使用する交換型インクカートリッジにインクジェット記録ヘッドへインクを供給する供給管としてのジョイント部材７が挿入され、負圧発生部材に圧接してインクジェット記録装置が稼動可能な状態になったときの模式断面図である。尚、ジョイント部材の端部にはインクカートリッジ内のごみを排除するためにフィルターが設置されている場合もある。
【００４２】
インクジェット記録装置が稼動するとインクジェット記録ヘッドのオリフィスからインクが吐出され交換型インクカートリッジにインク吸引力が発生する。インク９はこの吸引力によりインク収容部６から仕切り壁端部とインクカートリッジ底部１１との間隙部８を通り、負圧発生部材収容部４へ、負圧発生部材３を通ってジョイント部材７内に引き込まれインクジェット記録ヘッドへ供給される。これにより間隙部８以外は密閉しているインク収容部６の内部の圧力が低下し、インク収容部６と負圧発生部材収容部４との間に圧力差を生じる。記録が継続するとその圧力差は上昇を続けるが、負圧発生部材部はジョイント部材部とジョイント開放部との間に間隙１２により大気に開放されているため、空気は負圧発生部材を通って仕切り壁端部８とインクカートリッジ底部１１との間隙部８からインク収容部４に入る。この時点でインク収容部６と負圧発生部材収容部４との間の圧力差が解消される。インクジェット記録中はこの動作が繰り返され、ある一定の負圧がインクカートリッジ内に得られる。また、インク収容部内のインクは、インク収容部内の壁面に付着するインク以外はほぼ全て使用できるためインク使用効率が向上する。
【００４３】
非記録時においては、負圧発生部材自身の毛細管力（あるいはインク−負圧発生部材界面でのメニスカス力）などが発生され、特に、インク収容部内のインクのインクが消費され始めると、負圧発生部材収容部内のインク保持状態はほぼ一定となり、インク収容部内に回収された気体が実質的に負圧状態になっているために、カートリッジ内の圧力バランスが極めて安定し、インクジェット記録ヘッドからインクが漏れることを抑制する。
【００４４】
よって、ジョイントするインクジェット記録ヘッドに応じた負圧発生部材の選択及び負圧発生部材収容部とインク収容部の割合設計をすれば図４に示した構成なども可能となる。
【００４５】
尚、図１９（Ａ）（Ｂ）の様に、本発明の交換型インクカートリッジをカラーインクジェット記録装置に対応するために各色（例えばブラック、イエロー、マゼンタ、シアンの４色）のインクをそれぞれ個別の交換型インクカートリッジに収容して使用することができる。たとえば、図１９（Ａ）のように個別のインクカートリッジを１体化させて交換型インクカートリッジとしてもよく、あるいは、図１９（Ｂ）のように使用頻度の高いブラックインク用の交換型インクカートリッジと他のカラーインク１体化交換カートリッジを分離した交換型インクカートリッジとしてもよい。これらの組み合わせはインクジェット装置に合わせて任意である。
【００４６】
本発明の交換型インクカートリッジにおいて、インクジェット記録ヘッドにおける負圧を制御するためには、負圧発生部材３の選定、形状、寸法はもとより、仕切り壁端部８の形状、寸法、仕切り壁端部８とインクカートリッジ底部１１との間隙８の形状、寸法、負圧発生部材収容部４とインク収容部６の容積割合、ジョイント部材７の交換型インクカートリッジへの挿入量、形状、寸法、フィルター１２の形状、寸法、目の荒さ及びインクの表面張力などを使用する条件に応じて最適化することはより好ましい。
【００４７】
使用する負圧発生部材は、それ自身、液体（インク）の自重及びわずかな振動に対してもインクを保持する能力を有するものであれば従来公知の部材が使用できる。例えば、繊維を網状に網込んだ綿状体や連通孔を有する多孔質体などが上げられる。インク保持力及び負圧発生などが調整容易なポリウレタンフォームなどのスポンジが好ましい。特に、フォームの場合には、フォーム製造時に所望の多孔密度となるように調整できるので好ましい。尚、フォームを熱圧縮処理をして更に多孔密度を調整した場合には、加熱による分解物が発生し、インク物性を変化させ記録品位に悪影響を及ぼす場合があるので洗浄などの処理が必要となる。また、各種インクジェット記録装置に対応した交換型インクカートリッジを製造するためそれに応じた多孔密度のフォームが要求されるが、熱圧縮を施していない特定のセル数（１インチ当りの空孔の数）を持つフォーム材を所望の寸法にカットし、負圧発生部材収容部に圧縮挿入し、多孔密度、毛管力を調整することが好ましい。
【００４８】
上記例においては、ジョイント部材７とジョイント開口部２とに間隙を設けてインクカートリッジ外部から大気を取り入れる構成がなされているが、本構成を限定するものではなくジョイント部材及びジョイント開放部の構造、形状はいかなるものであってもよい。負圧発生部材がスポンジのような多孔質部材の場合には図３（ａ）、（ｂ）のようにジョイント部材の挿入に対して多孔質部材のインクカートリッジ底部からの逃げを抑制し、且つ、フィルター部と負圧発生部材との圧接面を維持、確保するためにジョイント部材７の端部はジョイント部材挿入方向に対して任意の角度（テーパー）を有することが好ましい。あまりジョイント部材の挿入量を大きく取る場合は、この先端のテーパ部が負圧発生部材に亀裂を招じさせる場合があるので、図３（ｃ）の如く面構造とすることも良い。
【００４９】
また、大気の取入れ口とするためにジョイント部材の外壁に大気導入用の凹凸を設けることも考えられるが、図５のように開口部２の形状も溝（図５（ａ））などの所望の形状即ち、図５（ｂ）が長方形、図５（ｃ）が３角形といったように選定することが可能である。開口部２の形状は、好ましくは、ジョイント部材と開口部を密閉しない程度の間隙を開けるか、開口部の下部（インクカートリッジ底部側）では、ジョイント部材外周に近接し、開口部上部で開口しているような形状である。
【００５０】
このように本発明に使用する交換型インクカートリッジはジョイント開口部と大気を取り入れる部分とを兼ねることが可能となっており、より単純な構成とできる。また、ジョイント部材７の交換型インクカートリッジへの挿入量は、上記ジョイント部材形状、負圧発生部材、インクカートリッジの形状などを考慮して挿入時にインク洩れなどを起こさず、記録時には途中でインク切れなどを起こさないように負圧発生部材の圧縮領域を設定することは好ましい。
【００５１】
以上の実施例に対して、ジョイント開口部とは別に大気との連通孔を負圧発生部材収容部側に設けることは、本発明のインクを保持していない負圧発生部材領域を大気連通部近傍に設ける構成を採用するためにも有効であり、後述するインクジェット記録装置内での環境変化に対する信頼性向上に好適な手段となる。
【００５２】
仕切り壁端部とインクカートリッジ底部との間隙８の形状、寸法についても任意であるが、あまりにも狭いとインクとのメニスカス力が強くなり、ジョイント開口部からのインク洩れは抑制できるが、負圧発生部材収容部へのインク供給に力を要し、使用時にインク切れを発生する可能性がある。また、あまりにも広いと逆の現象が発生する可能性があるため、微小連通部の仕切り壁までの高さは、負圧発生部材の平均孔径（好ましくは微小連通部近傍の平均孔径）より大きく（実用上は０．１ｍｍ以上）、５ｍｍ以下が適している。より安定化を期待するのであれば、３ｍｍ以下が好ましい。図７は、間隙８の形状の例を示している。図７（ａ）は、先の実施例で使用され、本発明にとって最も安定した構成形状であり、一定高さで、カートリッジ全幅にわたって設けられたものである。図７（ｂ）（ｃ）は、カートリッジ全幅の一部のみで連通部を形成し、かつ蛇行したものである。この構成は、カートリッジ全体の容積が大きい場合に有効ではあるが通常プリンタでは低い使用のものである。図７（ｄ）は、トンネル状の連通部を複数有するもので、インクがカートリッジ内面側に移動しやすく、気体−インク交換用の気体導入を集中化できる。図７（ｅ）（ｆ）は、図７（ａ）の構成に加えて、インク収納室側の仕切り壁に上下方向にわたって凹部を形成したものである。そのため、仕切り壁下端に至った気体は相対的にその凹部で効果的にインク収納室内に導入され、気体の回収効率を向上できる。
【００５３】
尚、この間隙８もまた、ジョイント開口部の位置を考慮して決定することがより好ましい条件となる。図１０（ａ）及び（ｂ）によって説明すると、（ａ）は、ジョイント開口部下端より仕切り壁端部の方が低い位置にあり、負圧発生部材中に保持されたインクはジョイント開口部下端より下であるためインク洩れに対して抑制効果があり好ましい。一方、（ｂ）は、ジョイント開口部下端より仕切り壁端部の方が高い位置にあり、負圧発生部材中に保持されたインクはジョイント開口部下端より上であるためインク洩れに対して抑制効果が少なく好ましくない。したがって、仕切り壁端部の位置をジョイント開口部下端と同じか、低い位置として間隙８の寸法を設計することは本発明の効果をより安定化できる利点がある。交換インクカートリッジの形状、寸法にもよるが、最大範囲で０．１ｍｍ以上２０ｍｍ以下の高さの範囲内から間隙８の高さを選定することで実用化でき、より好ましくは０．５から５ｍｍ程度である。また、仕切り壁端部の形状は、上述のジョイント開口部との位置を考慮していればいかなる形状をしていてもよいが、例示すれば、説明を省くが図８（ａ）〜（ｈ）に示したとおりである。
【００５４】
さらに、仕切り壁５の端部と負圧発生部材３との境界部も種々の構造関係が考えられる。これを表示したものが、図９である。図９（ａ）から図９（ｄ）は、仕切り壁端部により負圧発生部材が圧縮されておらず、負圧発生部材の密度を局部的に高めることがないので、インクの流通及び空気の流通が比較的速やかとなり、高速記録やカラー記録の場合に好ましい。一方、図９（ｅ）、（ｆ）は、仕切り壁端部により負圧発生部材３が圧縮されおり、部材の密度が高くなるためインクの流通及び空気の流通に抵抗を生じるものの、わずかな環境変動に対してはインク洩れなどの障害を抑制できる。よって、これらの選択は、インクジェット記録装置の種類や使用する環境条件を考慮して設計すればよい。
【００５５】
負圧発生部材収容部４とインク収容部６の容積割合は、インクジェット記録装置の種類や使用される環境条件などを考慮して決定する必要がある。また、使用する負圧発生部材との関連も重要となる。インクの使用効率を向上するためには、インク収容部の容積を増やすことが好ましく、その際には、負圧発生力の高い（スポンジでいえば圧縮率の高い）負圧発生部材を使用することが有効となる。したがって、インク収容部の容積割合を増加するに伴って負圧発生部材の負圧発生力を増加させることを注意すれば、負圧発生部材の収納室の容積とインクのみの収容室の容積の比は、１：１以上１：３以下の範囲内が実用上の最適範囲として挙げることができる。
【００５６】
フィルター１１の形状、寸法、目の荒さは、インクジェット記録装置の種類によって任意に設定できるが、インクカートリッジからのごみの混入を防止し記録ヘッドのノズルを詰まらせないためにもオリフィスの径よりも小さい目の荒さにすることが好ましい。
【００５７】
本発明に使用する交換型インクカートリッジへの初期インク充填量は、インクカートリッジ内容積を限度として任意であるが、交換型インクカートリッジ開封直後の負圧を維持するためにインク収容部へは容積限度迄充填してもよいが、負圧発生部材部へのインク充填量は負圧発生部材のインク保持力の限界以下で設定することが好ましい。尚、ここでインク保持力とは、負圧発生部材にインクを含浸させた際の部材単独でインクを保持できる能力をさすものである。
【００５８】
密閉系のインク収容部を持つインクカートリッジにおいては、インクジェット記録装置内に装填された状態での外部環境変化（温度上昇、或は気圧低下）に対しては、インク収容部の空気膨張により（インクの膨張もある）インク収容部に残存しているインクをインクカートリッジ外へ押し出し、インク漏れ発生の可能性がある。しかしながら、本発明に使用する交換型インクカートリッジにおいては、最悪想定される環境状態に応じた密閉系インク収容部の空気膨張体積（僅かではあるがインク膨張分も含む）を予想し、それにともなうインク収容部からのインク移動量分を負圧発生部材収容部にあらかじめ持たせることが好ましい。この際、ジョイント開口部以外に大気連通孔を負圧発生部材収容部側に設けることは図１０（ｃ）（ｄ）に示すように、インク収容室内の空気の膨張によってインク室内から負圧発生部材内に移動したインクを大気連通側へ案内することができるので、非常に有効である。尚、大気連通孔の設置位置は、負圧発生部材収容部側のジョイント開口部より上部ならば特に指定はないが、環境変化時の負圧発生部材中のインクの流れをジョイント開口部から離すために、ジョイント開口部から遠い位置にあるのが好ましい。また、大気連通孔の数及び形状、大きさなどはインクの蒸発を考慮して任意に設定することができる。
【００５９】
インクカートリッジ単独の物流時においては、ジョイント開口部及び又は、大気連通孔をシール材などで密閉してインクの蒸発やインクカートリッジ内の空気膨張に備えることが好ましい。シール材としては、包装分野においてバリヤー材と称される単体層のバリヤー及び数層のプラスチックフィルムの複合化及びこれらと紙、布などの補強材またアルミニウム箔などを複合化した複合化バリヤー材を使用することが好ましい。インクカートリッジ本体材質と同様な材質をバリヤー材の接着層とし、熱などで溶着することによって密閉性を上げることがより好ましい。
【００６０】
また、インクカートリッジからのインクの蒸発或は外部大気からの空気の流入を抑制するためには、インクカートリッジを挿入後は包材内の空気を脱気してから密閉する包装形態をとれば効果的である。包材としては、気体透過度及び液体透過度を考慮し、上記シール材同様バリヤー材から選択することが好ましい。
【００６１】
上述のような包装形態を選択することによってインクカートリッジ単独の物流は、インク洩れなどもなく非常に信頼性の高いものとなる。
【００６２】
インクカートリッジ本体材料は従来成形品に用いられるいかなる材料であってもよいが、インクジェット用インクへの影響がないような材料或は影響がないように処理された部材から選択する必要がある。また、インクカートリッジの生産性を考慮することも必要となる。例えば、図１，図１１に示すインクカートリッジ本体をインクカートリッジ底部１１部分とその上部部分とに分割して樹脂材料にてそれぞれを一体成形し、負圧発生部材を挿入後、インクカートリッジ底部１１部分とその上部部分を溶着してインクカートリッジ本体を製造することができる。樹脂材料に透明或は半透明なものを選択すればインク収容部のインクはインクカートリッジ外部から視認することができるのでインクカートリッジの取り替え時期を目視にて判断することができる。また、上記シール材などの溶着を容易にするために図のような凸部を設けることが好ましい。更に、インクカートリッジ本体外面にシボなどの加工を施すこともデザイン上好ましい。
【００６３】
インクの初期充填には加圧法及び減圧法いずれもが使用できる。尚、インクの充填にタンク本体のいずれかにインク充填口２１を設けることは他のインクカートリッジ開口部を汚すことがないので好ましい。インク充填後のインク充填口２１は、プラスチック或は金属材料にて栓２２することが好ましい。
【００６４】
交換型インクカートリッジの構成は及び形状は本発明の範囲から逸脱することなく各種の変形を行うことができる。
【００６５】
以上の説明のように、本発明に使用する交換型インクカートリッジは、単独の物流時にも高い信頼性を維持し、簡易な構造でインクの残量検知可能なインク使用効率の高い交換型インクカートリッジとなる。
【００６６】
また、記録時及び非記録時においても適度の負圧を使用初期から使用終了までの間維持して高速記録に対応し、インクジェット記録装置の使用環境条件においてもインク漏れの無い交換型インクカートリッジとなる。
【００６７】
更に、交換型インクカートリッジの取り扱い性が良好で、インクジェット記録装置への脱着時においてもインク漏れなどがなく、インクジェット記録装置への装着誤動作のない交換型インクカートリッジとなる。
【００６８】
上述した、本発明に使用する充填用インクが充填されるか或は、充填されているインクジェット用カートリッジは、上述した構成による各構成の利点があるものである。本発明は、これらの利点を、一層確実にして、効果を発揮できる条件の許容範囲を広げたり、新たなインク漏れの現象（上記カートリッジに初期充填する際や再充填を行う際において見られ、インク収納室内においては問題のないインクが、負圧発生部材を収納する収納室内に至ると、負圧発生部材内部に一時的に保持されるものよりも、負圧発生部材とカートリッジ内壁との間を進行して大気連通口やインク供給口等の開口部或は、シールされている領域を破って漏れる傾向が大となることが原因と考えられるものや、衝撃によるもの）を防止するために、上記インクジェット用カートリッジに初期充填されるか或は再充填される充填インク及び充填されているインクは、表面張力が２０ｄｙｎ／ｃｍ以上５５ｄｙｎ／ｃｍ以下であることが好ましい。これによって、上記説明した構成に対して、この新たなインク漏れの現象を解決するばかりでなく、上記構成自体の作用を気液界面の滑らかさを向上でき、全体的に変動する度合いを最小化することができる等の作用によって、一層安定化できるものである。
【００６９】
図１１は、本発明に使用するカートリッジとしてのインクタンク製造方法を示すもので、後述する仕切り板６１と仕切り壁５を介して２つの収納室用凹部をなす壁部とを備えたカートリッジ本体（断面斜線：左斜め下向）に対して、負圧発生部材としての吸収体３を開口部２側の凹部内に挿入した後、蓋部材としての底部材１１で一体化処理した構成を示している。この図１１ではさらに、インクタンク１に記録ヘッドＨＤを装着した状態を示す一部破断概略図である。インクタンクは、仕切り壁５によって２つの部屋に区切られた容器に対してインクタンクの底部を構成する平板の底部材１１で蓋をすることで構成される。このように蓋をするという簡単な構成で容器の仕切り壁５の先端との同じ微少連通路８を形成できる。尚、大気連通部１０は、上記開口部２が設けられた面と同一面で、上方部位に位置している。
【００７０】
一方、ヘッドは、供給管としてのジョイント部７がインクタンクの開口部に挿入されてとりつけられ、ジョイント部７は図中上方部分が下方部より前方に出た斜め構造をしている。そして、さらにジョイント内部のインク流路は上方に向って開いたホーン構造をしている。このような構造とすることで、吸収体からのインクを良好にヘッド側に導入することができる。
【００７１】
インクジェット記録装置は、ノズル７３の吐出口７１からインクの吐出を行わせるために利用されるエネルギーとして熱エネルギーを発生する手段としての発熱素子７２を備え、前記熱エネルギーによりインクの状態変化を生起させる方式の記録ヘッドＨＤを有する記録装置で、上記インク供給性の安定化効果によって、一層、特にカラー記録にとって、記録高密度化、高精細化が達成できる。
【００７２】
以上説明したように、本発明に使用する交換型インクカートリッジは、単独の物流時にも高い信頼性を維持し、簡易な構造でインクの残量検知可能なインク使用効率の高い交換型インクカートリッジとなる。
【００７３】
また、記録時及び非記録時においても適度の負圧を使用初期から使用終了までの間維持して高速記録に対応し、インクジェット記録装置の使用環境条件においてもインク漏れのない交換型インクカートリッジとなる。
【００７４】
更に、交換型インクカートリッジの取り扱い性が良好で、インクジェット記録装置への着脱時においてもインク漏れなどがなく、インクジェット記録装置への装着誤差動作のない交換型インクカートリッジとなる。
【００７５】
補足して、インクカートリッジの製造方法について説明する。上述した吸収体を内蔵した負圧発生部材収納室と微小連通部としての連通部８を有するが、気体と液体の交換によって初めてインクを放出する意味での実質的な密閉構造のインク収納室とが一体成形化されると、蓋部材１１のインク収納室側の開口２１からインクが充填される。これにより、インク収納室内にインクが充填されると、負圧発生部材４自体にも微小連通部からインクが与えられかなりの範囲にインクが与えられる。
【００７６】
ここで、大気連通部近傍の負圧発生部材は、インクが与えられず、インクを保持しない領域として存在させる。この後、開口２１は、ボール２２でシールされ開口部２と大気連通部１０は、同一のシール部材Ｓ（異なっていても良い）でシールされる。
【００７７】
この状態の使用前インクジェット用カートリッジを示したものが、図１２に示されている。この図でインク収納室６内には、インクが充填されているものとする。
【００７８】
図１２は、この密閉状態のインクジェット用カートリッジ１を示すと共に、これを使用するプリンタの概略図を示している。このインクジェット用カートリッジ１には、大気連通部１０の近傍に位置する負圧発生体領域３Ａが、インクを保持していない領域としてカートリッジ上方角部に設けられている。該領域３Ａの下方に位置する負圧発生体領域３Ｂは、インク供給管（不図示）の挿入により圧縮変形される圧縮可能領域である。これらの領域３Ａ，３Ｂ以外の負圧発生体は、他の外的影響がなく充填されたインクを保持する。無論、領域３Ｂは、大気連通部１０の下方で同一面に設けられているインク供給管装着用の開口部２に対向する領域である。また、開口部２は、微小連通部８よりも上方に位置しており、本発明の上述した特徴構成の夫々をすべて有している。
【００７９】
図１２のカートリッジ１は、前述したシール部材Ｓを除去することで、使用可能になるが、上記領域３Ａがインクを保持していないために、シール除去時の振動や圧力変化があってもインクを漏らすことがない。
【００８０】
本実施例は、インクカートリッジの保存状態や使用状態に関わらず、従来の技術水準を一掃する技術観点として、負圧発生部材の該大気連通部近傍領域をインクを保持していない領域とすることで、環境条件の変動に対して、インクカートリッジ内のインクが大気連通部から漏れることを防止できる。特に、シール部材が大気連通部を密閉している場合に対しては、シール部材のはがれ防止効果もある。また、使用状態にあっては、この領域は、大気がカートリッジ内に必要に応じた量が効率よく供給でき、インクジェットカートリッジ内の負圧変化を抑制する効果もある。この大気連通部近傍領域は、全くインクによる濡れがないものであると、インク自体の浸透速度をより減速させることができるので好ましいが、インクにより予め濡らした後にそのインクを除去した領域としても良い。
【００８１】
また、本実施例は、上記微小連通部を形成する仕切り壁に対向する側に、インク供給用開口或は、供給管による負圧発生体の圧縮（又は圧縮可能）領域を存在させる構成とすることで、第２収納室のインクが負圧発生体内に安定した実質的なインク供給路を確保でき、これをより安定させる構成として、インクカートリッジの下面に関して上記インク供給用開口が上記微小連通部よりも上方に位置させることを挙げることができる。この配置関係の作用は、実質的なインク移動方向を一定化でき、第２収納室のインクがすべて消費でき、この消費後は、第２収納室内の空気が対向する開口側に移動するように介在することで、結果的に、負圧発生体内のインクを消費可能にして、残存インクを減少できることにある。
【００８２】
特に、上記微小連通部を形成する仕切り壁からこの壁に対向する側に向かって、負圧発生体の供給管によって圧縮されない領域、負圧発生体の供給管によって圧縮される領域を、この順に有することで、圧縮されない領域には前述した１方向のインク供給路が形成でき同様の効果が得られ、更に圧縮領域のインク確保能力によって一層インク残量を減少できる。
【００８３】
本実施例のインクジェットプリンタは、上記カートリッジ１を装着したことに応じて、自動的或は手動的にカートリッジ内からのインク排出をヘッドを介して吸引手段による吸引或は吐出によって実行するヘッド回復手段ＨＲを有している。これにより負圧発生体内のインク状態をプリント前に修正できるので、カートリッジの放置状態に左右されずに、カートリッジ本来の上記機能を利用することができる。
【００８４】
図１２で、走査型のキャリッジＣＲに保持されたインクジェットヘッドＨＢに対して装着されるタンク１は、先に説明した図１２のカートリッジ１のシールテープを除いたものである。キャリッジ上に装着されたタンク１はヘッドのインク供給管が上記開口部２を通って、負圧発生部材３の圧縮可能領域３Ｂを圧縮変形させる。本例では、負圧発生部材３を微小連通部８側へ変形させる。この時、タンクの着脱検知手段（機械的又は電気的な公知の検知手段によって代用されるので不図示とした）によって装着信号ＬＰがプリンタ制御手段ＣＣに入力される。これに応じて、記録開始前にヘッド回復手段ＨＲが作動してタンク１内のインクを排出して、タンク内インクの状態を改善する。
【００８５】
図１３（Ａ）は、図１２のインクジェットカートリッジのインク収納室の内面を変更し、その容量分だけ上方に凸の空間形状２２としたものである。この内面２０は、微小連通口８から遠ざかる程上昇している曲面となっている。内面２０の構造は、インクの表面張力による微小残滴も負圧発生部材３側へ供給すると共に、上方に突出した部分２１が操作者にとっての挟持部になり、操作時に生じるタンクの変形を防止する。図１３（Ｂ）は、同等の容量タンクを、インク収納室が大で負圧発生部３収納室側を小にするための仕切り壁５１の斜め配置を示す。
【００８６】
図１３（Ｃ）は、先の製造方法で示した、仕切り壁５に対して間隙８を形成する蓋部材１１を、カートリッジ本体の側板１０１，１００の間に挿入して固定する例である。ＳＥは蓋部材１１の端部を示している。この図１３（Ｃ）の場合、接着固定にバラツキが生じると、間隙８の距離ＳＰは一定化しない。そのため、図１３（Ｄ）のように、仕切り壁の端部ＳＥに接するスペーサ１１０を両側に位置させることも好ましい。スペーサ１１０は、蓋部材１１に設けることが良い。さらに、間隙８の距離ＳＰ内に位置する凸部３０を蓋部材に設けることで、インク収納部内への空気の回収性を高めるようにしても良い。
【００８７】
図１４（Ａ），（Ｂ）は、それぞれ本発明に使用するインクカートリッジの実施例のプリント或いはインク供給状態の可能な状態傾斜範囲を示すもので、図中の４０は水平面を示している。本発明にとってより好ましい状態は、微小連通部が下方側に位置していることで、理想的には水平面４０に対してカートリッジ下面で平行となることが良い。しかし、実用上は、本例の如く、２室構成の場合、（Ａ），（Ｂ）の図の如き角度θは夫々０≦θ≦１５度の範囲まで使用上の不都合がない。走査型キャリッジ上に載置して移動させる場合は０≦θ≦５度の範囲が好ましい。
【００８８】
上述した本発明の実施例の負圧発生部材は、複数の部材構成でも良いが、互いの間の界面（部材間界面）が生じると大気の移動がそこに生じるため不都合が生じ易い場合があるので、より好ましくは、負圧発生部材は単一の多孔質体であることが良い。
【００８９】
又、インク収容室は、相対的に負圧発生部材収納室よりもインクを多量に含むものであれば、実質的にインクを収納する室として含めることもできる。
【００９０】
ここで、先の実施例でも開示されているインク収納室内の仕切り板６１について説明すると共に、ユーザーが手で握ったときの荷重や、物流中の環境条件でカートリッジの外壁面が変形して、インクジェット記録ヘッドのオリフィスからインクが漏れたり、カートリッジの一部に設けられているカートリッジ内の圧力を大気と同じにする大気連通口からインクが漏れるといった問題を解決できる実施例について説明する。
【００９１】
以下の例は、上記各種のインクタンクタンク形態における技術課題を解消するためになされたもので、ハンドリング時や搬送中の外力、そして温度や気圧等環境変化によるインク漏れが発生することはなく、しかもインク使用効率の高いインクジェット記録用インクカートリッジである。
【００９２】
図１５（Ａ）は、側壁面を省いて示した本発明に使用するインクカートリッジの一実施例の斜視断面図、図５（Ｂ）は同実施例の横断面図、図１６は同実施例のインク供給動作の説明図、図１７は同実施例の側壁に荷重が掛かったときの側壁の歪みを説明する断面図である。
【００９３】
図１５（Ａ），（Ｂ）に示すように、インクカートリッジ本体１は、インクジェット記録ヘッドと連結するための開口部２および開口部２より上方に設けた大気を取り入れる大気連通部１０を有し記録用のインクを吸収保持する負圧発生部材３を収容した負圧発生部材収容部４と、負圧発生部材収容部４にリブ５を介して隣接しインクを収容するインク収容部６とからなっている。なおインク収容部６と負圧発生部材収容部４とはリブ５と底面の間に設けた隙間部８で連通し、インク収容部６には仕切り板６１が前記隙間８以上の隙間を下部に残して両側に側壁を連結している。
【００９４】
図１６（ａ）は、インクジェット記録ヘッドへインクを供給するジョイント部材７を実施例のインクカートリッジ本体１の開口部２に挿入して負圧発生部材３に圧接し、インクジェット記録装置が稼動可能になった状態を示す模式断面図である。なおジョイント部材７の端部開口部にはインクカートリッジ内のゴミを排除するためにフィルターが設置されていることもある。
【００９５】
インクジェット記録装置が稼動するとインクジェット記録ヘッドのオリフィスからインクが吐出され、インクタンクにインク吸引力が発生する。インク９はこの吸引力によりインク収容部６からリブ５の端部とインクカートリッジ底部１１との隙間部８を通り負圧発生部材収容部４へ、そして負圧発生部材３を通ってジョイント部材７内に引き込まれインクジェット記録ヘッドへ供給される。これにより隙間部８以外は密閉しているインク収容部６の内部の圧力が低下し、インク収容部６と負圧発生部材収容部４との間に圧力差を生ずる。記録が継続すると、その圧力差は上昇を続けるが、負圧発生部材収容部４は大気連通孔１０により大気に開放されているため、図１６（ｂ）に示すように空気は負圧発生部材３を通ってリブ５とインクカートリッジ底部１１との隙間部８からインク収容部６に入る。この時点で、インク収容部６と負圧発生部材収容部４との間の圧力差が解消される。インクジェット記録中はこの動作が繰り返され、ある一定の負圧がインクカートリッジ内に得られる。また、インク収容部６内のインクは、インク収容部６内の壁面に付着するインク以外は、ほぼ全て使用できるためインク使用効率が向上する（図１６（ｃ））。
【００９６】
非記録時は、負圧発生部材３自身の毛細管力（あるいはインク−負圧発生部材界面でのメニスカス力）などが発揮され、インクジェット記録ヘッドからインクが漏れることを抑制する。
【００９７】
上記の機能から、ジョイントするインクジェット記録ヘッドに応じた負圧発生部材３の選択および負圧発生部材収容部４とインク収容部６の容積割合により、他の実施例として図１８の断面図に示すように、インク収容部６に複数の仕切板６１を備えた構成とすることもできる。
【００９８】
以下、側壁の強度向上対策として効果がある構成について説明する。
【００９９】
インクカートリッジにおいて、ハンドリンク時の外力や、物流中の環境変化に耐え、そしてインクの使用効率を高めた構造を採ることが重要である。
【０１００】
実施例では、負圧発生部材収容部４およびインク収容部６の各側壁１２ａ，１２ｂ，１２ｃの外力に対する変位量を同等にするように構成してある。
【０１０１】
例えば、カートリッジ材質は通常プラスチックモールドであるが、図１５（Ｂ）および図１７に示すように、負圧発生部材収容部４の側壁面１２ａの厚さをインク収容部６の側壁面１２ｂ，１２ｃの厚さよりも厚くするとともに、インク収容部６の容積を等分割するような位置に、下部に隙間を残して両側壁内面間に前記仕切板（リブ）６１を配設し、単位面積当たり同等な荷重に対する壁面の変形量Δｔ６を小さくし、しかも６１の両側の側壁面１２ｂ，１２ｃの変化が同等となるようにする。また、負圧発生部材収容部４の変形量Δｔ４ともほぼ同等にすることによって壁面に変形によるインクの漏れを防止する目的が達成される。
【０１０２】
図１５（Ｂ），図１７に示す実施例のインクカートリッジにおいて、材質はポリプロピレン（ＰＰ）、外径寸法は長さ４８ｍ／ｍ×高さ３５ｍ×厚さ１１ｍ／ｍの場合、長さ４８ｍ／ｍのほぼ中央で、負圧発生部材収容部４の側壁面１２ａの熱さを１．５ｍｍ、インク収容部６の側壁面１２ｂ，１２ｃの熱さを１ｍｍ、インク収容部６のリブ６１を各壁面より約１０ｍｍの位置に配設することにより、ハンドリング時の荷重（約２Ｋｇ）に対して、２倍以上のマージンを確保した構造を得ることができた。また、同時に、物流中の気圧変化や、温度変化に対しても、十分な強度を得ることが可能となった。
【０１０３】
上記本発明に使用するインクカートリッジの実施例では、タンクのサイズの関係からインク収容部６のリブ６１は、１カ所であるが、１カ所に限定するものでなく、インクカートリッジのサイズに合わせ、図１８に示すようにリブ６１を２カ所に設ける等、リブの本数，位置，壁面の厚さを変えることによって対応することができる。
【０１０４】
図２０は、負圧発生部材収容部４の壁面厚さと、インク収容部６の壁面厚さを決定するために調査した各壁面の厚さと、ハンドリング及び物流環境でのインク漏れの関係を示すデータである。
【０１０５】
各壁面とも厚さを増せば、インクもれに対し強度は増すが、目的である小型化と高いインク使用効率を満足するためには、少しでも壁を薄くして、その分だけ内容積を増やす必要があり、図２０に示すデータから、負圧発生部材収容部４の側壁面厚さ１．５ｍｍ、インク収容部６の側壁厚さ１．０ｍｍを採用した。
【０１０６】
インクカートリッジの大きさにより、上記寸法は図２０を参照して決定でき、負圧発生部材収容部４の外壁肉厚をインク収容部６の外壁肉圧の１．２倍ないし３倍の範囲内で構成することが好ましい。
【０１０７】
図３３は、交換インクタンクと記録ヘッドとを十分に結合させた上で交換インクタンクを付勢することで、キャリッジと記録ヘッドと位置決めを簡単な構成で確実に行うとともに、記録ヘッドと交換インクタンクとを本体外で簡単に結合した上でキャリッジに装着するようにしたので交換操作を容易にすることかできるものを挙げた。また、キャリッジ（記録装置置本体）と記録ヘッドとの電気的接続も同時に行うように構成したので、記録ヘッド・交換インクタンクの交換時の操作性も良好であるが、電気的接続を別途コネクタ接続方式などにして、記録ヘッドの位置決めと交換インクタンクとの結合をより確実なものとするための構成自由度を高くするのも良い。
【０１０８】
ここで、図３３におけるインクジェット記録装置における記録ヘッドの配置及び動作を説明する。図３３で、記録媒体Ｐをプランテンローラ５０００を用いて水平方向に案内し、紙押さえ板５００２でキャリッジ移動方向にわたってプランテン５０００に対して押圧する。キャリッジＨＣは、キャリッジ移動ピンをそのらせん溝５００４にはめ込んで、それ自身が回転することで駆動源として動作するリードスクリュー５００５とリードスクリューに平行に配置されたスライダ５００３とに支持係合されてプランテンローラ５０００上に案内された記録媒体Ｐの記録面に沿って前後に往復動する。リードスクリュー５００５は駆動伝達ギアを介して駆動モータの正逆回転に連動して回転駆動制御される。
【０１０９】
画像記録信号は、記録ヘッドを搭載するキャリッジの移動にタイミングを計って記録ヘッドに送られ、所定の位置でインク滴を吐出させて記録を行う。
【０１１０】
本発明に使用するインクタンク及びインクは、特に、図３３に示すように、縦置き印字姿勢において特に有効である。縦置き印字姿勢では記録ヘッド２０１０の下面に記録媒体Ｐを対向させて記録走査を行うように構成されており、プラテンローラ５０００に巻きつけずに記録媒体Ｐをほぼ同一平面内に給紙・印字・排紙を行うことが可能であるのではがきやＯＨＰ用紙などの厚手の剛性の高い記録媒体にも印字することができる。縦置き印字姿勢では記録媒体Ｐに対向する記録ヘッド２０１０の吐出部よりも交換インクタンク２００１の方が上部に配置されるので、その分のインクの水頭圧を支えたうえで吐出部におけるインク内圧を若干の正圧、好ましくは若干の負圧に維持して吐出部のインクのメニスカスを安定化することが必要となる。
【０１１１】
尚、図３３の記録装置は下述する各実施例において適用できるものである。
【０１１２】
図２１は、本発明に使用する他の実施例のインクジェット用インクカートリッジ本体の縦断面図、図２２は同横断面図、図２３はリブの表面を示す断面図である。
【０１１３】
インクジェット用インクカートリッジ本体１００１には、インク収容部１００６と負圧発生部材収容部１００４との隔壁であるリブ１００５の一部に大気導入溝１０３１と負圧発生部材調整室１０３２とが形成してある。
【０１１４】
大気導入溝１０３１は、リブ１００５の中間部分からリブ１００５の端部、即ちインクカートリッジ底部１０１１との間隙部１００８まで、負圧発生部材収容部１００４側に形成されている。そしてリブ１００５の大気導入溝１０３１の近辺に接する負圧発生部材１００３との間に、えぐられたような形状の負圧発生部材調整室１０３２が形成されている。
【０１１５】
負圧発生部材１００３は負圧発生部材収容部１００４の内面に当接されることから、例えば負圧発生部材１００３が不均一に挿入されていたとしても図２１及び図２２に示すように、負圧発生部材１００３の当接（圧縮）力が部分的に緩和されることになる。このため、ヘッドからインクを消費し始めると、負圧発生部材１００３に含浸されているインクが消費され負圧発生部材調整室１０３２まで達する。その後もインクが消費し続けると負圧発生部材調整室１０３２により負圧発生部材１００３の当接力が緩和されている部分から大気がインクメニスカスを破りやすくなっており、速やかに大気導入溝１０３１に大気が導入され負圧のコントロールが容易になる。
【０１１６】
本実施例は、特に負圧発生部材１００３として弾性のある多孔質体を使用することが望ましい。
【０１１７】
非記録時は、負圧発生部材１００３自身の毛細管力（あるいはインク−負圧発生部材海面でのメニスカス力）などが発揮され、インクジェット記録ヘッドからインクが漏れることを抑制する。
【０１１８】
比較例として負圧発生部材調整室がないインクカートリッジの一例を図２９〜図３１に示す。
【０１１９】
図示の比較例のインクカートリッジの構成であっても前記の動作原理に基づき、理想的な状態であれば何ら問題なく動作する。説明するまでもなく大気導入溝がない場合よりも安定した動作をする。
【０１２０】
しかしながら、工業的により安定した動作を実現するために、あるいは負圧発生部材として連通孔を有する樹脂多孔質体を使用する場合にはより安定した制御が必要となる。
【０１２１】
図３２の拡大断面図に示すように、負圧発生部材１００３がリブ１００５に当接して大気導入溝１０３１に食い込む状態となる。これにより当接部Ａでは負圧発生部材１００３の圧接力（圧縮力）が緩和されず、大気がその部分のインクメニスカスを破って大気導入溝１０３１に入りずらくなる。このことによりインクが消費され続けても気液交換が行われず、大気導入溝１０３１の効果が発揮できず、インク吸収部１００６のインクが使われることなく動作不能となる懸念がある。
【０１２２】
比較例と異なり、実施例は前記説明の通り、優れた効果を発揮する構成となっている。
【０１２３】
図２４は他の実施例に備えたリブ１００５の異なる断面形状２種類を示す縦断面図であり、図２５はリブの断面形状を示す拡大横断面図である。
【０１２４】
図示のように大気導入溝１０３１と負圧発生部材調整室１０３２の形状が、前記実施例と異なっている。
【０１２５】
即ち、負圧発生部材１００３に当接するリブ１００５の段差部分を、より圧接・圧縮緩和の効果が発揮できるように面取りＲ付けが実施してある。
【０１２６】
この面取りＲ付けが施された負圧発生部材収納部１００４側のリブ１００５の近傍において空気が負圧発生部材１００３に含浸されているインク中に取り込まれる。そして取り込まれた空気はインク収容部１００６へ移動する。この空気の移動に伴ってインク収容部１００６のインクは負圧発生部材収容部１００４へ供給される。そして空気が負圧発生部材１００３に含浸されているインクに取り込まれる領域が気液交換領域となる。
【０１２７】
上述した気液交換をよりスムーズに行うためには気液交換領域上側より気液交換領域下側において負圧発生部材収容部１００４に対する負圧発生部材１００３の当接力を緩和することが好ましい。これは当接力が緩和される負圧発生部材１００３の毛細管内を空気がよりスムーズに気相からインク相へ移動できるからである。
【０１２８】
例えば図２６〜図２８に示すようなリブ１００５の中央部（大気導入溝の端部）に部分的な負圧発生部材調整室１０３２を形成する構成によって効果発揮することも可能である。
【０１２９】
なお、実施例の負圧発生部材調整室１０３２と同等の機能を持たせるために、負圧発生部材１００３の形状を変えて対応することも可能であり、上記要件を満たしていればいかなる形状，寸法であってもよい。
【０１３０】
以上説明してきたように、本発明では、インク供給時にインク収容部中のインクと大気とが、安定かつ、すみやかに気液交換されることが可能となり、その結果、インク供給部における内圧を安定して制御することが可能となり、記録ヘッドにおける吐出安定性の良い、しかも、高速印字が可能となった。
【０１３１】
また、外部環境の変化に対する、インクタンク内の圧力変化に対しても、インク漏れが発生することのない、インクタンクを提供することが可能となった。
【０１３２】
他の本実施例のインクタンク２００１は、内面を２つのインク室（ａ，ｂ）に仕切るとともに底部で連通させ、インク供給部のインク室ａに毛細管力を調整したインク吸収体２００２をほぼ隙間なく詰め込むとともに大気連通部２００３を設けた吸収体併用区分インク室方式である。
【０１３３】
図３４は圧縮吸収体のバッファ吸収体としての機能を説明するもので、図１０の状態から大気圧の減圧ないしは気温の上昇などによるインク室ｂ２００６内の空気の膨張などでインク室ｂ２００６のインクがインク室ａ２００４の方へ流出した様子を示している。本実施例ではインク室ａ２００４に流出したインクは圧縮吸収体２００３で保持されるようにしている。圧縮吸収体のインク吸収量とインク室との関係については、前述の減圧ないしは温度変化時のインクの漏れを防止するという観点から、インク室ｂ２００６からの最悪条件下でのインク流出量と、インク室ｂ２００６からのインク供給時にインク室ａ２００４に保持させるインク量とを考慮してインク室ａ２００４の最大インク吸収量を決め、少なくともその分の圧縮吸収体を収納するだけの容積をインク室ａに持たせれば良い。
【０１３４】
逆に、大気圧が上昇すると、インク室ｂ２００６の上部のインク水頭圧分だけ元々減圧されている空気と上昇した大気圧との差が大きくなり過ぎるのでインクないしは大気をインク室ｂ２００６に引き込んで所定の圧力差に戻ろうとするが、そうした場合には、インク室ｂ２００６からのインク供給時と同様に、インク室壁２００５下端部近傍の圧縮インク吸収体２００３のメニスカスが破断して主に空気がインク室ｂ２００６に導入されて圧力平衡となるので、インク供給部のインク内圧はほとんど変化せず、記録特性に対する影響はほとんどない。上記の例で大気圧が元に戻った場合はインク室ｂ２００６に導入された空気の分だけインク室ｂ２００６からインク室ａ２００４にインクが流出するので、前記例と同様にインク室ａ２００４のインク量が一時的に増加して気液界面が上昇するので、使用初期と同様にインク内圧の安定期より一時的にやや正側の内圧になるが記録ヘッドの吐出特性への影響は小さく実使用上の問題はない。上記の問題は、例えば高地の減圧下で使用されていた記録装置を標準大気圧の低地に移動して使用する場合などに生ずるが、その場合でもインク室ｂ２００６への空気導入が生ずるだけで、また、再び高地へ移動して使用する際にややインク供給部のインク内圧が若干上昇するだけであり、さらに、標準大気圧よりも著しく高い状態での使用はあまり考えられないので、上述のごとく実使用上大きな問題とはならない。
【０１３５】
また、インクタンク使用初期から交換直前まで、インク室ａ２００４の圧縮インク吸収体２００３によってインク室ａ２００４内のインクは確実に保持されており、また、インク室ｂ２００６は閉塞されているので開口部（大気連通部及びインク供給部）からのインクの漏出はなく、取り扱い性に優れる。
【０１３６】
次に、本発明に使用するインクカートリッジの吸収体併用区分インク室方式における圧縮インク吸収体及びインク室構成の必要条件について詳細に説明する。
【０１３７】
まずインク室の構成としては、圧縮インク吸収体２００３のインク吸収容量とインク室の容積との関係については、前述の減圧時ないしは温度変化時のインクの漏出を防止するという観点から、インク室ｂ２００６からの最悪条件下でのインク漏出量とインク室ｂ２００６からのインク供給時にインク室ａ２００４に保持させるインク量とを考慮してインク室ａ２００４の最大インク吸収容量を決めて、圧縮インク吸収体２００３のインク吸収率を考慮して少なくともその分の圧縮インク吸収体２００３を収納するだけの容積をインク室ａ２００４に持たせれば良い。
【０１３８】
次にインク室壁２００５下端部に形成されるインク室間の連通部の大きさは、上部が閉塞されているインク室ｂ２００６内のインクが連通部でメニスカスを形成できない程度の大きさ以上であることが第１条件であり、さらにインク供給部からの最大インク供給速度（記録装置本体での吸引時やベタ印字時のインク供給速度）に応じて、インクの粘度などの特性を考慮して円滑な気液交換がなされるだけの開口を持たせれば良い。ただし、前述のごとくインク室ｂ２００６の残余インクのインク上面がインク室壁２００５下端部よりも下がった場合は、インク供給部のインク内圧がその分一時的に正方向に変化するので、その際の記録ヘッドのインク吐出特性への影響が少なくなるように設定すれば良い。
【０１３９】
インクタンクの動作説明で述べたように、本吸収体併用区分インク室方式では、インク室壁近傍の圧縮インク吸収体２００３でインク供給部のインク内圧を保持しているので、インク室ｂ２００６からのインク供給時に所望の内圧を維持するためには、インク室壁２００５下端部近傍の圧縮インク吸収体２００３の毛細管力の調整が必要である。すなわち、インク室壁２００５下端部近傍の圧縮インク吸収体２００３の毛細管力は記録時に必要なインク内圧を発生できるように圧縮率ないしは初期ポアサイズを設定すれば良い。例えば、インク供給部で必要とされるインク内圧がマイナスｈ（ｍｍａｑ）、インク室壁２００５下端部近傍の圧縮インク吸収体２００３はインクｈｍｍ引き上げられる毛細管力を有していれば良く、圧縮インク吸収体２００３の構成を簡略化して考えれば、インクの密度をρ、インクの表面張力をγ、インク吸収体とインクの接触角をθ、重力加速度をｇとすれば、圧縮インク吸収体２００３の細孔部半径Ｐ１は、
Ｐ１＝２γｃｏｓθ／ρｇｈ
であれば良い。
【０１４０】
インク室ｂ２００６からインクを供給している間、インク室ａ２００４内でのインクの気液界面がインク供給部で、インク供給部の上端よりも低くなると記録ヘッド側へ大気が供給されるので、インク供給部近傍の気液界面は少なくともインク供給部上端よりも高い位置に維持されていなければならない。すなわち、インク供給部上部の圧縮インク吸収体２００３は、インク供給部で必要とされるインク内圧に相当するｈｍｍに加えてインクタンク下面からインク供給部上端よりも高い気液界面設定位置（ｉｍｍ）の高さ、すなわち、（ｈ＋ｉ）ｍｍの高さまでインクを引き上げる毛細管力を持たせれば良い。上記と同様に圧縮インク吸収体の構成を簡略化して考えられは、インク供給部上部の圧縮インク吸収体の細孔部半径Ｐ２は、
Ｐ２＝２γｃｏｓθ／ρｇ（ｈ＋ｉ）
であれば良い。上式でインク供給部直上の気液界面の高さ（ｉｍｍ）はインク供給部上端よりも高い位置であれば良く、インク室ａ２００４の更に内側の圧縮インク吸収体２００３ではインク室壁に向かって徐々に低く気液界面が設定されるように、インクの引き上げ力（毛細管力）を徐々に小さく（同一の吸収体であれば、細孔部半径Ｐ３を徐々に大きく）するか（図３５）、インク室壁２００５近傍のみで圧縮インク吸収体２００３の毛細管力を小さくして（図３６）、インク室壁２００５下端部の毛細管力（同一の吸収体であればＰ１）につなげれば良い。
【０１４１】
インク室ｂ２００６からの安定したインク供給がなされている場合の圧縮インク吸収体２００３内の気液界面より下側になる部分の圧縮インク吸収体２００３の毛細管力は、インクタンクに衝撃や傾斜、あるいは急激な温度変化など特別な外力が作用しなければどのように毛細管力が調整されていても良いが、そうした外力やインク室ｂ２００６のインクがすべて消費された後もインク室ａ２００４の残余インクを供給するためには、インク室壁２００５下端部の毛細管力（細孔部半径Ｐ１）よりもインク供給部に向かって徐々に毛細管力を大きく（細孔部半径Ｐ４）なるように設定し、インク供給部の毛細管力を最も大きく（細孔部半径Ｐ５）すれば良い（図３７）。すなわち、毛細管力の調整は、少なくとも
（インク室壁下端部）＜（インク供給部直上部）
であれば良く、更に好ましくは、
0003542590.tif 000002
であれば良い。
【０１４２】
また、同一の圧縮インク吸収体２００３を用いて簡略化して考えると細孔部半径は少なくとも、
Ｐ１＞Ｐ２
であれば良く、更に好ましくは、
Ｐ１＞（Ｐ３，Ｐ４）＞（Ｐ２，Ｐ５）
であれば良い。Ｐ３とＰ４、Ｐ２とＰ５の関係は圧縮率の分布設定に応じてＰ３＞Ｐ４、ないしはＰ２＞Ｐ５としても、また、Ｐ３＝Ｐ４、Ｐ２＝Ｐ５としても良い。
【０１４３】
図３５〜図３７に、上述の関係を同一の圧縮インク吸収体２００３で圧縮率の調整により実現するための例として、本実施例で好ましい圧縮率分布を示す。Ａ３５１，Ａ３６１，Ａ３７１は気液界面を示し、矢印Ａ３５２，Ａ３６２，Ａ３７２は圧縮インク吸収体の圧縮率が小さい方から大きい方へ変化している様子を示す。
【０１４４】
比較例３として、インク供給部側の圧縮インク吸収体２００３の毛細管力をインク室壁近傍よりも強くしない場合には、インク室ａ２００４からインクをある程度消費させた状態では、インク室壁２００５下端部近傍に気液界面Ａ３８１が形成され、インク室ａ２００４とインク室ｂ２００６との連通部が気相側に位置する。この場合、インク室ｂ２００６のインクを供給できず、大気連通部２０１３から導入された大気Ａ３８２が直接インク供給部から記録ヘッドへ供給されてしまい、その時点でインクタンクは使用不能となる。
【０１４５】
次に本発明者らは上述した各実施例のインクタンクに対して好ましく用いられるインクに求められる物性について検討した。
【０１４６】
好ましいインクとは負圧発生部材中における界面Ａ３５１がインクタンクの振動に対しても安定であり、また環境変化に対して気液界面が安定な挙動を示しことが望ましい。
【０１４７】
以下に上述した本発明に使用するインクタンクに好ましく用いられるインクについて説明する。
【０１４８】
インクの基本構成としては、少なくとも水と着色剤と水溶性有機溶剤とからなる。
【０１４９】
水溶性有機溶剤としては水との相溶性が高く低揮発性、低粘度のもので人体に対する安全性の高いものが望ましいが極少量で用いるのであればこの限りではない。以下具体的に例示する。ジメチルホルムアミド、ジメチルアセトアミド等のアミド類、アセトン等のケトン類、テトラヒドロフラン、ジオキサン等のエーテル類、ポリエチレングリコール、ポリプロピレングリコール等のポリアルキレングリコール類、エチレングリコール、プロピレングリコール、プチレングリコール、トリエチレングリコール、１，２，６−ヘキサントリオール、チオジグリコール、ヘキシレングリコール、ジエチレングリコール等のアルキレングリコール類、エチレングリコールメチルエーテル、ジエチレングリコールモノメチルエーテル、トリエチレングリコールモノメチルエーテル等の多価アルコールの低級アルキルエーテル類、エタノール、イソプロピルアルコール等の１価アルコール類、その他、グリセリン、Ｎ−メチル−２−ピロリドン、１，３−ジメチル−２−イミダゾリジノン、トリエタノールアミン、スルホラン、ジメチルスルフォキサイド、シクロヘキサノール等が用いられる、該水溶性有機溶剤の含有量について、特に制限はないが１〜８０重量％が好ましい範囲である。本発明に用いられる着色剤としては染料，顔料いずれでも良い。染料としては水溶性の酸性染料、直接染料、塩基性染料、反応性染料等が好ましく用いられる。該染料の含有量について特に制限はないがインク全量に対して０．１重量％〜２０重量％の範囲が好ましい。
【０１５０】
更に表面張力調製剤として界面活性剤を含むことが望ましい。該界面活性剤としては脂肪酸塩類、高級アルコール硫酸エステル塩、アルキルベンゼンスルホン酸塩類、高級アルコールリン酸エステル塩等のアニオン界面活性剤、脂肪族アミン塩類、第４級アンモニウム塩類等のカチオン界面活性剤、高級アルコールエチレンオキサイド付加物、アルキルフェノールエチレンオキサイド付加物、脂肪族エチレンオキサイド付加物、多価アルコール脂肪酸エステルエチレンオキサイド付加物、高級アルキルアミンエチレンオキサイド付加物、脂肪酸アミドエチレンオキサイド付加物、ポリプロピレングリコールエチレンオキサイド付加物、多価アルコールの脂肪酸エステル、アルカノールアミンの脂肪酸アミド類等の非イオン性界面活性剤、アミノ酸型、ベタイン型両性界面活性剤等が用いられる。
【０１５１】
より好ましくは、アセチレングリコールのエチレンオキサイド付加物が用いられる。
【０１５２】
更に、前記エチレンオキサイド付加物の付加モル数は４〜２０の範囲が特に好ましい。
【０１５３】
界面活性剤の添加量に特に制限はないが、０．０１〜１０重量％の範囲が好ましい。表面張力をコントロールする手段としては前記した水溶性有機溶媒でも行えることはいうまでもない。
【０１５４】
その他必要に応じて、粘度調整剤、ＰＨ調整剤、防腐剤、酸化防止剤等の添加剤を配合しても構わない。
【０１５５】
インクの粘度として１〜２０ｃｐが好ましく用いられる。インクの表面張力は２０ｄｙｎｅ／ｃｍ〜５５ｄｙｎｅ／ｃｍでなければならず、より好ましくは２５ｄｙｎｅ／ｃｍ〜５０ｄｙｎｅ／ｃｍである。インクの表面張力がこの範囲にある場合には、ヘッドオリフィス部のメニスカスが破れ非印字時にヘッドオリフィス部からインクがあふれるといった現象は生じない。
【０１５６】
また、インクのインクカートリッジへの充填量は、インクカートリッジ内容積を限度として任意であるが、インクカートリッジ開封直後の負圧を維持するためにインク収容部への容積限度まで充填してもよいが、負圧発生部材へのインク充填量は負圧発生部材のインク保持力の限界以下で設定することが好ましい。尚、本発明でいうインク保持力とは、負圧発生部材にインクを含浸させた際の部材単位でインクを保持できる能力をさすものである。
【０１５７】
次に本実施例の試料及び比較用試料を説明する。
【０１５８】
水と水溶性有機溶剤の混合物に染料を攪拌しながら混合し、４時間攪拌した後界面活性剤を所定量加えフィルターに漉過し塵を取り除いた。
【０１５９】
その後、図１１に示されるインクカートリッジにそれぞれのインクを充填し図１２に示した装置を用いて記録を行った。
【０１６０】
以下に各インクの処方及び物性、記録結果を示す。
【０１６１】
【表１】
0003542590.tif 000003
【０１６２】
【表２】
0003542590.tif 000004
【０１６３】
次に代表的な水溶性有機溶剤の２０〜３０℃の表面張力を示す。
【０１６４】
エタノール（２２ｄｙｎｅ／ｃｍ），イソプロパノール（２２ｄｙｎｅ／ｃｍ），シクロヘキサノール（３４ｄｙｎｅ／ｃｍ），グリセリン（６３ｄｙｎｅ／ｃｍ），ジエチレングリコール（４９ｄｙｎｅ／ｃｍ），ジエチレングリコールモノメチルエーテル（３５ｄｙｎｅ／ｃｍ），トリエチレングリコール（３５ｄｙｎｅ／ｃｍ），２−ピロリドン（４７ｄｙｎｅ／ｃｍ），Ｎ−メチルピロリドン（４１ｄｙｎｅ／ｃｍ）
これらの溶剤と水を混合して所望の表面張力を得る。
【０１６５】
次に界面活性剤を用いてインクの表面張力をコントロールする方法を説明する。
【０１６６】
例えば、ソルビタンモノラウリン酸エステルでは水に対して１％の添加で２８ｄｙｎｅ／ｃｍが得られ、ポリオキシエチレンソルビタンモノラウリン酸エステルでは水に対して１％の添加で３５ｄｙｎｅ／ｃｍが得られる。またアセチレノールＥＨ（アセチレングリコールのＥＯ付加物）では１％以上の添加で２８ｄｙｎｅ／ｃｍが得られる。更に低表面張力が必要な場合にはフッソ系界面活性剤例えばサーフロンＳ−１４５（旭ガラス社製  パーフロロアルキルＥＯ付加物）では水に対して０．１％で１７ｄｙｎｅ／ｃｍが得られる。但しその他の添加物により多少表面張力は変化するので適宜調整する。
【０１６７】
更に上述説明したように最大漏出インク量を考慮してインクバッファの設計を行えば良いと考えられるが、このインクバッファの効果はその容量だけでなくインクの界面における表面張力に大きく左右されることが鋭意検討の結果得られた。
【０１６８】
インクジェット記録装置用のインクの中には、界面活性剤を添加したものが提案されている。この種のインクはコピー紙やボンド紙といった普通紙に対しても非常に定着が速く、カラー記録では異なる色のインク記録領域が隣接した場合にでも不当な色の混じり合い（境界にじみ又はブリード）がなく、均一な着色（色ムラが少ない）という特徴をもっている。その一組成例を以下に示す。
【０１６９】
【表３】
0003542590.tif 000005
【０１７０】
この種のインクを用いた場合は図３４に示すように大気圧の減圧ないしは気温の上昇などによるインク室ｂ２００６内の空気の膨張などでインク室ｂ２００６のインクがインク室ａ２００４の方へ押し出された時にはインク室ａ２００４の吸収体２００３にインクが吸収されてインクカートリッジ外に漏れ出すということはなかった。
【０１７１】
前述したように、インク室ｂ２００６からインクが供給されている時のインク室ａ２００４にあるインクの気液界面は、記録ヘッドの吐出部からの水頭圧とインク室ｂ２００６内の減圧とその圧縮インク吸収体の毛細管力とが釣りあった高さで維持されている。この時のインク室ａ２００４の気液界面の平均インク高さを仮にＨとすると、大気圧の減圧ないしは気温の上昇などによるインク室ｂ２００６からのインクの流出があった場合にはインク室ａ２００４の気液界面のインクの高さはさらにｈ分高く吸収保持できなければならない。
【０１７２】
本実施例における一例を示すと、インク室内の全高さ３ｃｍとし、インク室ａ２００４およびｂ２００６の体積を６ｃｃとした。インク室ｂ２００６の初期は、６ｃｃすべてインクで満たされている状態にし、インク室ａ２００４には圧縮吸収体２００３（ポリウレタンフォーム）を内包させ、初期には４ｃｃのインクを充填させた（インク総量１０ｃｃ）。吸収体の空隙率は９５％以上であり、吸収体の空隙すべてにインクが充填されるとするとインク室ａ２００４には６ｃｃ近くのインクが充填可能である。先ずこのインクタンクにおいてはインク室ａ２００４インクからの消費されはじめ、暫くしてインク室ｂ２００６のインクが消費されるようになり、インク室ａ２００４の気液界面は記録ヘッドの吐出部からの水頭圧とインク室ｂ２００６の減圧とその圧縮インク吸収体の毛細管力とが釣りあった高さで維持される。この時の気液界面の高さは平均的に約１．５ｃｍであったため、ほぼ吸収体の空隙すべてにインクが充填されているとすればインク室ａ２００４のインク量は約３ｃｃとなっていると考えられる。ここで大気圧の最大減圧条件０．７気圧とした場合、インク室ｂ２００６の体積の約３０％である１．８ｃｃが流出してくる場合があるため、インク室ａ２００４では約３ｃｃ＋１．８ｃｃ（インク液面高さ約２．４ｃｍ）吸収保持できなければならない。また、最大減圧条件を０．５気圧とした場合は、インク室ｂ２００６の体積の約５０％である３ｃｃが流出してくる場合があるためインク室ａ２００４では約３ｃｃ＋３ｃｃ（インク液面高さ約３ｃｍ）吸収保持できなければならない。即ち、インク室ａ２００４は吸収体自身の容積とインク室ａに元々あるインク量とインク室ｂ２００６から流出してくるインク量が最低でも充填可能であることが必要である。したがって、インク室ｂ２００６からのインク流出量の見積もりによってインク室ａ２００４の内容積は大きく変化する。
【０１７３】
多孔質吸収体のインク保持高さＨは、一般に毛細管力の式で表されると考えられ、インクの表面張力をγ，インクとインク吸収体との接触管をθ，インクの密度をρ，重量加速度をｇ，インク吸収体の平均気孔半径をｒとすれば、
Ｈ＝２γｃｏｓθ／ρｇｒ
となる。
【０１７４】
これより、インク保持高さＨを高くしてより多くのインクが吸収保持できるようにするためには、インクの表面張力を大きくするか、またはインクとインク吸収体の接触角θを小さく（ｃｏｓ  θを大きく）すれば良いと考えられる。
【０１７５】
インクとインク吸収体との接触角θを小さくするのは、インクが吸収体に非常に漏れ易くするということであり、一般に浸透剤として界面活性剤が使用される。
【０１７６】
実施組成▲１▼のインクの場合は、界面活性剤が添加されているために表面張力は約３０ｄｙｎ／ｃｍと小さいが、吸収体とインクの漏れ性が良くなり浸透性が非常に良くなったと考えられる。これにより表面張力よりもインクの漏れ性の方を良くする効果があるといえる。
【０１７７】
浸透剤としてはエアロゾルＯＴ型、ドデシルベンゼンスルホン酸ナトリウム、ラウリル硫酸エステルナトリウムなどのアニオン系の界面活性剤や下記一般式〔１〕で表される高級アルコールのエチレンエキサイド付加物、下記一般式〔２〕で表されるアルキルフェネールのエチレンオキサイド付加物、下記一般式〔３〕で表されるエチレンオキサイド−プロピレンオキサイド共重合体、下記一般式〔４〕で表されるアセチレングリコールのエチレンオキサイド付加物などの非イオン性界面活性剤が優れている。
【０１７８】
但し、上記アニオン系の界面活性剤は起泡力が大きくて取扱いが不便であるこや境界にじみ（ブリード）や色の均一性やフェザリングなどの画像特性がアニオン系界面活性剤よりも非イオン性界面活性剤の方がより良好であったため、本実施例においては下記一般式に示したような非イオン性界面活性剤を用いた。
【０１７９】
ここでｎは一般式〔１〕，〔２〕においては６〜１４が好ましい、またＲは炭素数が５〜２６のものが好ましい。一般式〔３〕，〔４〕においてはｍ＋ｎは６〜１４であることが望ましい。
【０１８０】
【化１】
0003542590.tif 000006
【０１８１】
【化２】
0003542590.tif 000007
【０１８２】
【化３】
0003542590.tif 000008
【０１８３】
【化４】
0003542590.tif 000009
【０１８４】
これまであげたエチレンオキサイド型非イオン界面活性剤の中でもアセチレングリコールのエチレンオキサイド付加物がインク吸収体への吸収性、記録媒体上での画像特性、記録ヘッドからの吐出特性などにおいて非常にバランスが良好であり、好ましい。さらにこの化合物は付加するエチレンエオキサイドの数ｍ＋ｎによって親水性および浸透性がコントロールされる。ｍ＋ｎが６より小さい場合には、浸透性は良好であるが、水溶性が乏しくなりインクへの溶解性が良くない。又、逆にエチレンエオキサイドの付加数が多すぎると親水性が大きくなりすぎて浸透力は小さくなる。ｍ＋ｎが１４より大きくなった場合は浸透性は低下し、添加量が多くなるだけで効果的とは言えず、むしろ吐出特性に弊害をもたらす。このようにこの化合物はエチレンオキサイドの付加数が６〜１４の間にあることが好ましい。
【０１８５】
これらの非イオン性界面活性剤の添加量は０．１〜２０重量％であることが好ましい。０．１％以下では画像特性および浸透性が十分ではなく、２０％以上ではもはやそれ以上の効果がでず、かえってコスト，インクとして信頼性などに対して不利になってしまうためである。
【０１８６】
又、これらの非イオン性界面活性剤はひとつないしは複数組み合わせても良いものとする。
【０１８７】
この他、インク成分には一般的に記録剤としての染料、目詰まり防止を目的とした多価アルコール等の低揮発性有機溶剤や、発泡安定性・記録媒体上での定着性を目的としたアルコール類等の有機溶剤が必要に応じて添加される。
【０１８８】
実施例のインクを形成する水溶性有機溶媒としては、例えば、ポリエチレングルコール，ポリプロピレングリコールなどのポリアルキレングリコール類；エチレングリコール，プロピレングリコール，プチレングリコール，トリエチレングリコール，１・２・６−ヘキサントリオール，ヘキシレングリコール，ジエチレングリコール等のアルキレン基が２〜６個の炭素原子を含むアルキレングリコール類；グリセリン；エチレングリコールメチルエーテル，ジエチレングリコールメチル（またはエチル）エーテル、トリエチレングリコールモノメチル（またはエチル）エーテル等の多価アルコールの低級アルキルエーテル類；メチルアルコール，エチルアルコール，ｎ−プロピルアルコール，イソプロピルアルコール，ｎ−プチルアルコール，ｓｅｃ−プチルアルコール，ｔｅｒｔ−プチルアルコール，イソプチルアルコール，ベンジンアルコール，シクロヘキサノール等のアルコール類；ジメチルホルムアミド，ジメチルアセトアミド等のアミド類；アセトン，ジアセトンアルコール等のケトンまたはケトンアルコール類；テトラヒドロフラン，ジオキサン等のエーテル類；Ｎ−メチル−２−ピロリドン，２−ピロリトン、１・３−ジメチル−２−イミダゾリジノン等の含窒素環状化合物等をあげることができる。これらの水溶性有機溶剤は画像特性や吐出信頼性を悪化させない量で含有することができる。好ましくは多価アルコール類や多価アルコール類のアルキルエーテル類であり、その含有量は、１〜３０重量％であることが望ましい。
【０１８９】
この時、本実施例で使用されるインク中の純粋の量については５０〜９０％の間にあることが好ましい。
【０１９０】
本実施例に使用する染料は直接染料，酸性染料，塩基性染料，反応性染料，分散染料，建染料等があげられる。これらの染料の含有量は液媒体成分の種類、インクに要求される特性、記録ヘッドの吐出量などに依存して決定されるが、一般的にはインクの全重量に対して０．５〜１５重量％、好ましくは１〜７重量％の範囲とされる。
【０１９１】
この他のチオジグリコールや尿素（またはその誘導体）をインク中に添加することにより吐出特性や目づまり（固着）防止効果が飛躍的に向上することがわかった。これらの添加により染料のインク中への溶解性が良化するためと考える。チオジグリコールや尿素（またはその誘導体）の含有量は好ましくは１〜３０重量％であり、必要に応じて添加することができる。
【０１９２】
本実施例のインクの主成分はこれまでの通りであるが、その他にポリビニルアルコール，セルロース類，水溶性樹脂等の粘度調整剤；ジエタノールアミン，トリエタノールアミン，緩衝液などのｐＨ調整剤、防カビ剤などを本発明の目的を妨げない範囲において必要に応じて添加することができる。
【０１９３】
又、インクを帯電させるタイプのインクジェット記録装置に使用されるインクを調合するためには、塩化リチウム、塩化アンモニウム、塩化ナトリウム等の無機塩などの比抵抗調整剤が添加される。
【０１９４】
本発明は、特にインクジェット記録装置の中でも熱エネルギーを利用して飛翔的液的を形成し、記録を行うインクジェット方式の記録ヘッド記録装置において優れた効果をもたらすものである。
【０１９５】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや流路に対応して配置されている電気熱変換体に、記録情報に対応していて核沸騰を越える急速な温度上昇を与える少なくも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長、収縮が行われるので、特に応答性に優れた液体（インク）の吐出が達成でき、より好ましい。
【０１９６】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３２４号明細書に記載されている条件を採用すると、さらに優れた記録を行うことができる。
【０１９７】
記録ヘッドの構成としては、前述の各明細書に開示されているような吐出口、液路、電気熱変換体の組み合わせ構成（直線状液流路または直角液流路）の他に熱作用部が屈曲する領域に配置されている構成を開示する米国特許第４５５８３３３号明細書、米国特許第４４５９６００号明細書を用いた構成としてもよい。
【０１９８】
加えて、複数の電気熱変換体に対して、共通するスリットを電気熱変換体の吐出部とする構成を開示する特開昭５９−１２３６７０号公報や熱エネルギーの圧力波を吸収する開孔を吐出部に対応させる構成を開示する特開昭５９−１３８４６１号公報に基づいた構成とすることもできる。
【０１９９】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【０２００】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【０２０１】
また、記録ヘッドに対しての回復手段、予備的な補助手段等を付加することは本発明の効果を一層安定できるので好ましいものである。これらを具体的に挙げれば、記録ヘッドに対してのキャッピング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【０２０２】
さらに、記録装置の記録モードとしては黒色等の主流色のみの記録モードだけではなく、記録ヘッドを一体的に構成するか複数個の組み合わせによってでもよいが、異なる色の複色カラー、または混色によるフルカラーの少なくとも一つを備えた装置とすることもできる。
【０２０３】
以上説明した本発明実施例においては、インクを液体として説明しているが、室温やそれ以下で固化するインクであって、室温で軟化するもの、もしくは液体であるもの、あるいは上述のインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものであればよい。
【０２０４】
加えて、積極的に熱エネルギーによる昇温をインクの固形状態から液体状態への状態変化のエネルギーとして使用せしめることで防止するか、またはインクの蒸発防止を目的として放置状態で固化するインクを用いるかして、いずれにしても熱エネルギーの記録信号に応じた付与によってインクが液化し、液状インクとして吐出するものや記録媒体に到達する時点ではすでに固化し始めるもの等のような、熱エネルギーによって初めて液化する性質のインクの使用も本発明には適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【０２０５】
さらに加えて、本発明に係る記録装置の形態としては、前述のようなワードプロセッサやコンピュータ等の情報処理機器の画像出力端末として一体または別体に設けられるものの他、リーダ等と組み合わせた複写装置、さらに送受信機能を有するファクシミリ装置の形態を取るものであってもよい。
【０２０６】
上述した本発明に使用するインクジェット用カートリッジは、上述した構成により各構成の利点があるものである。
【０２０７】
本発明は、これらの利点を維持し、インクカートリッジのランニングコスト低減や省資源化を達成するためにインク再充填が第２収納室から実施され、そのインク再充填口を封止部材で封止したことを特徴とするインク再充填インクジェットカートリッジである。以下により詳細に説明する。
【０２０８】
図３８には本発明に使用するインクカートリッジの一実施形態を示しており、第２収納室内のインクが消費された状態を表している。第２収納室内のインクが消費されたインクカートリッジの第２収納室の一部に従来公知の手段によりインク再充填口２１を開口させてある。インクの充填を第２収納室にインク再充填口を開口させることなく第１収納室から実施することも不可能ではないが、本発明に使用するインクカートリッジにおいてはその構成上微少連通部にインクのメニスカスが形成された場合には第２収納室は密閉構造となるためその後に第２収納室に空間が存在していてもそれ以上インクを再注入することはできずに第１収納室の開口部からインクが漏れ出てしまう。よって、本発明は第２収納室に再インク充填口２１を設置することが重要となる。尚、インク再充填の時期は、いかなる時期であってもよいが、インク再充填後のインクカートリッジの機能を考慮すれば、第２収納室にインクが残存している間に実施することが好ましい。これは、本発明に使用するインクカートリッジの構成によるものである。また、インク再充填の効率及び第２収納室に残存するインクの漏れをも考慮すれば、第２収納室のインクが消費され尽くされる直前がより好ましい。
【０２０９】
図３９にインク再充填口を開口した状態の断面図を示す。インク再充填口の設置部は第２収納部であればいかなる位置であってもよいが、インク注入の容易性、再使用時のインク再充填口からのインク漏れを考慮すると図３９の３１ａや３１ｂのようにインクカートリッジの上部にあることが好ましい。またその形状や個数についても特に制限はない。インク９の再充填した状態をインク再充填口を図３９の３１ａに一つ開口した場合を例にとって図４０に示す。インクの再充填は、任意の手段により実施できる（例えば注射器のようなものにインクをくみ取り、インク再充填口よりインクを注入する）。その後、第２収納室に開口されたインク再充填口を図４１及び図４２に示すように封止部材４１にて実質上、第２収納室を密閉構造となるように封止する。これによって、本発明のインク再充填は終了するのであるが、本発明にとっての特徴のいま一つは、そのインクカートリッジの再使用時に現れる。即ち、上述したように本発明に使用するインクカートリッジは、使用中に第２収納室はある負圧状態（減圧状態）を維持しており、封止したインク再充填口の別部材をより強固にインクカートリッジに引き付け開口させないように作用していることである。
【０２１０】
なお、上記インク再充填口の封止部材は、従来公知のもの例えば、金属，プラスチックや弾性を有するゴムのようなもので栓をすることができる。図４４に示すようにインクカートリッジ一体の栓を設けておけばユーザーのインク再充填の手間を省略でき好ましい。また、上述した作用をより発現させるためには粘着性を有する高分子部材（例えば従来公知の接着剤，粘着剤，シーリング剤など）であることが好ましい。
【０２１１】
更に、より上述した作用を発現させ、インクカートリッジの再々利用を可能とさせるために図４３ａに示すように封止部材を粘着剤を有するシート状部材（例えば粘着テープ，シールテープなど）とすることがより好ましい。また、シート状部材を交換して用いることで上述の再々利用が可能となる。
【０２１２】
更にまた、より上述した作用を発現させ、インクカートリッジの再々利用を可能とさせ、第２収納室の密閉性を補強するために上記インク再充填口の封止を図４３ｂに示すようにインク再充填口の存在する面以外の面にもその封止が及ぶように実施することが好ましい。尚、その封止は、図示した形態にとどまらず、いかなる形態であっても本発明を逸脱するものではないことは言うまでもない。
【０２１３】
上述したようにインク再充填口の開口は、従来公知の手段により実施できるが、より簡易な手段を例示しておく、図４５に第２収納室のインクが消費されたインクカートリッジと再充填用のインク９を詰めたインク注入ノズルを持ち蛇腹構造体のインク再充填用容器４８及びインク再充填口を形成するための治具４９を示した。インク再充填口は、図４６に示すように第２収納室に形成する。先端が鋭利に加工された治具（先端がピン状，ドリル刃状の形状に加工されたもの等）を用いて図４７ａ，ｂのように形成する。図４７ａは、インク注入ノズル外径より大きな開口を形成した場合の例示であり、図４７ｂは、インク注入ノズル外径と同等かそれより僅かに小さい開口を２箇所に形成した場合の例示である。いずれの場合もインクを再充填する場合にインクを好ましく第２収納室に充填するものである。
【０２１４】
【発明の効果】
本発明は、上記の説明で理解できるように、インク再充填が第２収納室から実施され、そのインク再充填口を別部材で封止したことにより、新規なインクカートリッジの利点を維持したまま、本来なら捨てるべきところのインクカートリッジを再利用することが可能となり、ランニングコスト低減や省資源化を達成することができる。
【０２１５】
特に本発明では、より具体的なインク再充填手段を提供したことにより、誰にでも簡易にインクカートリッジの再生をすることが可能となった。
【図面の簡単な説明】
【図１】本発明に使用する実施例のインク容器の一部を破断して示した模式斜視図である。
【図２】図１の模式断面図である。
【図３】（ａ）、（ｂ）、（ｃ）各々は、本発明に使用するインクカートリッジと供給管の結合例の説明図である。
【図４】本発明に使用するインクカートリッジのより好ましい条件を説明するための比較例の説明図である。
【図５】（ａ）、（ｂ）、（ｃ）各々は、インク供給部の説明図である。
【図６】（ａ）、（ｂ）、（ｃ）各々は、インク供給部と微小連通部との位置関係を説明する説明図である。
【図７】（ａ）〜（ｆ）各々は、微小連通部の構成説明図である。
【図８】（ａ）〜（ｈ）各々は、仕切り壁の微小連通部側端部の形状説明図である。
【図９】（ａ）〜（ｆ）各々は、仕切り壁近傍の吸収体端部状態の説明図である。
【図１０】（ａ）〜（ｄ）各々は、環境変化に対する吸収体内部の状態説明図である。
【図１１】本発明に使用するインクカートリッジの製造方法とインクジェットヘッドを説明するための概略図である。
【図１２】本発明に使用するインクジェットカートリッジとそれを用いたインクジェットプリンタの概略説明図である。
【図１３】（Ａ）〜（Ｄ）は、本発明に使用するインクカートリッジの要部変形例を説明する図である。
【図１４】（Ａ）、（Ｂ）は、本発明に使用するインクカートリッジの使用状態の傾斜可能範囲を説明するための断面図である。
【図１５】（Ａ）、（Ｂ）は、本発明に使用するインクカートリッジの最適実施例の形状説明図である。
【図１６】（ａ）〜（ｃ）は、各々本発明に使用するインクカートリッジの記録状態における変化を順に示す説明図である。
【図１７】本発明に使用するインクカートリッジの外壁に対する圧力状態を説明する概念図である。
【図１８】本発明に使用するインクカートリッジの変形例の断面図である。
【図１９】（Ａ）、（Ｂ）は、本発明に使用するインクカートリッジのカラータンク構成を示す斜視図である。
【図２０】本発明に使用するインクカートリッジの壁面厚さと外圧変形に伴うインク漏れとの相関関係を示すグラフである。
【図２１】更に本発明に使用するインクカートリッジのその他の実施例の縦断面図である。
【図２２】図２１のインクカートリッジ本体の縦断面図である。
【図２３】図２１のリブ表面を示すインクカートリッジ本体の断面図である。
【図２４】他のリブ表面を示すインクカートリッジ本体の断面図である。
【図２５】他のリブの断面形状を示す拡大横断面図である。
【図２６】他の実施例の交換型インクカートリッジ本体の縦断面図である。
【図２７】他の実施例の交換型インクカートリッジ本体の横断面図である。
【図２８】他のリブ表面を示すインクカートリッジ本体の断面図である。
【図２９】比較例のインクカートリッジ本体の縦断面図である。
【図３０】比較例のインクカートリッジ本体の横断面図である。
【図３１】比較例のリブ表面を示すインクカートリッジ本体の断面図である。
【図３２】比較例のリブの断面形状を示す拡大横断面図である。
【図３３】縦置き印字姿勢の説明図である。
【図３４】インク室ａの圧縮インク吸収体の漏洩インクバッファ機能の説明図である。
【図３５】他の圧縮インク吸収体の圧縮率分布の例。
【図３６】図３５の圧縮インク吸収体の圧縮率分布の異なる例。
【図３７】図３５の圧縮インク吸収体の圧縮分布の異なる例。
【図３８】本発明に使用するインクカートリッジの使用後の模式断面図である。
【図３９】本発明に使用するインクカートリッジの第２収納室の開口例を説明するための断面図である。
【図４０】本発明インクカートリッジのインク再充填を説明するための断面図である。
【図４１】本発明インクカートリッジのインク再充填後の開封部封止を説明するための断面図である。
【図４２】図４１の模式斜視図である。
【図４３】（ａ），（ｂ）は、本発明のインク再充填後の開封部封止を説明するための模式断面図である。
【図４４】（ａ），（ｂ）は、本発明のインク再充填後の開封部封止を説明するための模式断面図である。
【図４５】本発明のインク再充填方法を説明するための模式断面図である。
【図４６】本発明のインク再充填口の開口を説明するための模式断面図である。
【図４７】（ａ），（ｂ）は、本発明のインク再充填口を説明するための模式断面図である。
【符号の説明】
２  インク供給口
３，１００３  負圧発生部材
４，１００４  第１収納室（負圧発生部材収容部）
１０ａ  大気連通孔
２１  インク再充填口
２２  栓
１００５  リブ
１００６  第２収納室（インク収容部）
１００８  隙間部
１０１３  大気連通部
【図１】
0003542590.tif 000010
【図２】
0003542590.tif 000011
【図３】
0003542590.tif 000012
【図４】
0003542590.tif 000013
【図５】
0003542590.tif 000014
【図６】
0003542590.tif 000015
【図７】
0003542590.tif 000016
【図８】
0003542590.tif 000017
【図９】
0003542590.tif 000018
【図１０】
0003542590.tif 000019
【図１１】
0003542590.tif 000020
【図１２】
0003542590.tif 000021
【図１３】
0003542590.tif 000022
【図１４】
0003542590.tif 000023
【図１５】
0003542590.tif 000024
【図１６】
0003542590.tif 000025
【図１７】
0003542590.tif 000026
【図１８】
0003542590.tif 000027
【図１９】
0003542590.tif 000028
【図２０】
0003542590.tif 000029
【図２１】
0003542590.tif 000030
【図２２】
0003542590.tif 000031
【図２３】
0003542590.tif 000032
【図２４】
0003542590.tif 000033
【図２５】
0003542590.tif 000034
【図２６】
0003542590.tif 000035
【図２７】
0003542590.tif 000036
【図２８】
0003542590.tif 000037
【図２９】
0003542590.tif 000038
【図３０】
0003542590.tif 000039
【図３１】
0003542590.tif 000040
【図３２】
0003542590.tif 000041
【図３３】
0003542590.tif 000042
【図３４】
0003542590.tif 000043
【図３５】
0003542590.tif 000044
【図３６】
0003542590.tif 000045
【図３７】
0003542590.tif 000046
【図３８】
0003542590.tif 000047
【図３９】
0003542590.tif 000048
【図４０】
0003542590.tif 000049
【図４１】
0003542590.tif 000050
【図４２】
0003542590.tif 000051
【図４３】
0003542590.tif 000052
【図４４】
0003542590.tif 000053
【図４５】
0003542590.tif 000054
【図４６】
0003542590.tif 000055
【図４７】
0003542590.tif 000056